(57)【要約】本発明による操舵装置は、ペダル（５）及びアーム（６）によって推進される三輪車型軽車両のこうした装置の２つの操舵レバーの運動を調整可能にする。操舵装置は、各推進アーム（６）の端部に回動自在に取り付けられる２つのレバー（８）と、これらのレバーの基部に固定される第１ケーブル（１０）と、を備える。第２端部は、三輪車の操舵軸（９）に固定される。２つのレバー（８）はこれらの運動を調整するために第２ケーブルによって相互連結される。本発明は、レジャー目的のために使用される三輪車用、一般的な軽車両用、屋内スポーツ装置用、医学的治療装置用及びテーマパークでのレジャー固定装置用に使用し得る。
2004521024.tif 000002
【特許請求の範囲】
【請求項１】
装置の可動部品用ケーブル制御システムであって、２つの別々の回動ハンドルから成り、各々が第１ケーブル（１２Ｄ、１２Ｇ）の第１端部に固定され、２つの前記第１ケーブルの１つの前記第２両端部が前記操舵軸（９）の一側又は第１プーリー（１５）に固定され、かつ２つの前記第１ケーブルの他方が前記操舵軸（９）の他方又は第２プーリー（１５）に固定され、２つの前記第１ケーブルのうちの対応するケーブルに張力を加えかつ前記可動部品を動かすために、側部ハンドル（８Ｄ、８Ｇ）を回動させることによって前記可動部品の配向を制御するシステムにおいて、
第２ケーブル（１３）を備え、該第２ケーブルの１端部は、対応する前記第１ケーブル（１２Ｄ、１２Ｇ）の前記第１端部と反対の、第１側部ハンドル（８Ｄ、８Ｇ）に固定され、かつ前記第２ケーブルの前記第２端部は、対応する前記第１ケーブル（１２Ｄ、１２Ｇ）の前記第１端部と反対の、前記第２側部ハンドル（８Ｄ、８Ｇ）に固定されることを特徴とする車両用操舵システム。
【請求項２】
車両用操舵システムであって、
操舵軸（９）に直角な軸線の周りに回転自在に設置された少なくとも１つの操舵輪（３）と、
各々が第１ケーブル（１２Ｄ、１２Ｇ）の前記第１端部に固定され、２つの前記第１ケーブルの各々の前記第２端部は前記操舵軸（９）の各側に固定され、２つの前記第１ケーブル（１２Ｄ、１２Ｇ）の中の対応するケーブルに張力を生じさせるために、側部ハンドルを回動することによって、前記操舵輪（３）の配向を制御する、２つの分離した回動ハンドル（８）と、を具備する車両用操舵装置において、
第２ケーブル（１３）を備え、
該第２ケーブルの第１端部が対応する前記第１ケーブル（１２Ｄ、１２Ｇ）の該第１端部と反対の第１側部ハンドル（８Ｄ、８Ｇ）に固定され、該第２ケーブルの第２端部が対応する前記第１ケーブル（１２Ｄ、１２Ｇ）の該第１端部と反対の第２側部ハンドル（８Ｄ、８Ｇ）に固定されることを特徴とする車両用操舵システム。
【請求項３】
各々が実質的に水平な軸線の周りに回動自在に取り付けられて前記三輪車の一側で各々を揺動させる２つの推進アーム（６）を具備し、２つの前記側部ハンドル（８Ｄ、８Ｇ）の各々が側部の前記推進アーム（６）の上端にある、実質的に水平な軸線の周りに回動自在に取り付けられることを特徴とする、請求項２に記載の操舵システムを使用する三輪車。
【請求項４】
前記推進アーム（６）は、該推進アームが、２つの駆動輪（２）にリンクされる連接棒／クランク装置に作用することによって同時且つ同方向に作動し、前記三輪車の推進に寄与するように互いに連結される三輪車において、
前記三輪車の２つの前記駆動輪（２）を駆動するために、クランク状に曲げられた駆動軸（７、３１）上の前記運転者の座席（４）の前方で、該三輪車の中心線上に設置された単一の牽引ペダル（５）を具備することを特徴とする、請求項３に記載の三輪車。
【請求項５】
被覆（１０）が前記ケーブル（１２Ｄ、１２Ｇ、１３）の各々の周りに使用されることを特徴とする、請求項３に記載の三輪車。
【請求項６】
前記車輪（２、３）がレンズ形態に構成されることを特徴とする、請求項３に記載の三輪車。
【請求項７】
クランク状に曲げられた前記駆動軸（７）が２つの駆動輪（２）の車軸であることを特徴とする、請求項４に記載の三輪車。
【請求項８】
クランク状に曲げられた前記駆動軸（３１）は、駆動チェーン（３３）によって、前記駆動輪（２）のスピンドル（３５）に固定された第２歯付輪（３４）をそれ自体駆動する第１歯付輪（３２）を駆動することを特徴とする、請求項４に記載の三輪車。
【発明の詳細な説明】
【技術分野】
【０００１】
本発明は、軽車両（三輪車、四輪車、自転車、ウォータースポーツ器具、スノーモービル）用操舵システム、あるいは固定製品（fixed product）（屋内スポーツ、医学的再教育、レジャーパーク用スタティックゲーム製品）用挙動制御システムに使用し得るケーブル制御システムに関する。
【背景技術】
【０００２】
本出願人に譲渡された発明を記載した従来技術文献は、運転者の手及び脚の組合せ操作によって回転運動を作り出す、推進システムを装備した三輪車を記載している。この文献に記載された三輪車は、運転者が半分横たわった姿勢で座る三輪車の中央に配置された座席を含む。駆動軸はフレームに配置され、かつフレームの両端部において、２つの駆動クランクによって回転駆動される。軸の両端部の各側の制御クランクに取り付けられた２つのペダルは、運転者が位相を同期させてこれらのペダルを押圧可能にする。２つの制御棒である推進アームは、シートの各側の三輪車床上で回動自在に設置され、その結果、これらのアームは、ペダルとは反対に位相を同期させて、手で同時に、前向き又は後向きの何れかに押圧することによって移動し得る。ペダルの各側にあり、かつ、第１に第１端部のペダルに、そして第２に第２端部の制御棒に固定される２つの連接棒は、駆動輪の軸を作動するチェーンが周囲に巻回された、大きな回転プレートによって、制御棒から駆動輪への力をかわるがわる伝達する（例えば、特許文献１参照）。
【特許文献１】仏国特許第２６５９７４２号明細書
【０００３】
三輪車が装備する操舵制御器は、２つの制御棒を組み合わせた側部偏倚によってなされる。これは、これらの制御棒の信頼性を減じかつ人間工学的でない。さらにまた、特にそれが小さな曲率半径で回転の向きを変えるように構成される場合、三輪車を操縦するためにそれらを偏倚させるのと同時に推進のためにこれらの制御棒を作動させることは難しい。
【０００４】
第２に、ＨＥＡＴＨ  ＳＴＥＶＥＮ  Ｃ．による別の従来技術文献は、ケーブル制御システムを装備した駆動車両を記載する。この車両は、使用者がその上に立ち上がる訓練サイクルである。従って、ハンドルは持ち上げられ、かつグリップに終端する２つの側部ハンドルから成る。グリップの各々は、方向を変更するために移動自在であり、かつケーブルによって操舵システムに連結される。従って、使用者がペダルを踏んでいる間に、車両の前側車輪の方向は該使用者の手によって制御し得る（例えば、特許文献２参照）。
【特許文献２】米国特許第５、７７５、７０８号明細書
【０００５】
このシステムでは、一方のグリップ動作は、他方のグリップ動作とは独立している。換言すれば、２つのグリップによって行われる動作は連繋しない。この状況の欠点の１つは、危険時に、この状況を回復するために適切なグリップを握って慎重な行動を取るという使用者の条件反射に頼ることができないことである。
【発明の開示】
【発明が解決しようとする課題】
【０００６】
従って、本発明の主な目的は、三輪車で使用することができ、しかも上述したことを含む多くの欠点を修正する別の操舵システムを提案することである。
【０００７】
従って、本発明の第１の目的は、各々が第１ケーブルの第１端部に固定され、２つの第１ケーブルの一方の第２端部が操舵軸の一方の側に固定されかつ２つの第１ケーブルの他方の第２端部が操舵軸の他方の側に固定され、２つの第１ケーブルの中の対応するケーブルに張力を加えかつ可動部を動かすために、側部ハンドルを回動することによって可動部の配向を制御する、２つの別々の回動ハンドルから成る装置の可動部品用ケーブル制御システムを提供することである。
【０００８】
本発明によれば、一方の端部が対応する第１ケーブルの第１端部と反対の第１側部ハンドルに固定され、第２端部が対応する第１ケーブルの第１端部と反対の第２側部ハンドルに固定される、第２ケーブルを備える。この装置は、２つのハンドルを互いに連動するように連結する。このように、操作者が第２ハンドルに基づいて操作しなくても、ハンドルのうちの１つへの操作者の動作は他方のハンドルに対応する運動を生じさせる。このことが、軽量車両を運転することをより簡単にすることは容易に理解し得る。さらにまた、危険又は事故状況では、２つのハンドルの何れかへの操作者による反射動作は、どちらのハンドルが使用されるに拘わらず、操舵システムを制御する。
【０００９】
本発明の第２目的は、操舵軸に直角な軸線の周りで回転自在に設置された少なくとも１つの操舵輪と、各々が第１ケーブルの第１端部に固定され、２つの第１ケーブルの各々の第２両端部が操舵軸の各側に固定され、２つの第１ケーブルの中の対応するケーブルに張力を生じさせかつ操舵軸の回転を生じさせるために、側部ハンドルを回動することによって操舵輪の配向を制御する、２つの別々の回動ハンドルと、を具備する操舵システムを提供することである。
【００１０】
本発明によれば、本発明は第２ケーブルを備え、該第２ケーブルの第１端部は、対応する第１ケーブルの第１端部と反対の、第１側部ハンドルに固定され、該第１側部ハンドルに対して、第２端部が、対応する第１ケーブルの第１端部と反対の、第２側部ハンドルに固定される。この装置は、２つのハンドルが互いに連動するように連結する。このように、操作者のハンドルの一方への動作は、操作者が第２ハンドルを動作させなくても、他方のハンドルに対応する運動を生じさせる。このことが軽量車両の運転をより簡単にすることは容易に理解し得る。さらにまた、危険時又は事故状況では、２つのハンドルの何れかへの操作者による反射動作は、どちらのハンドルが使用されるかに拘わらず、操舵システムを制御する。
【００１１】
このシステムの主要な実施形態では、第１端部が対応する第１ケーブルの第１端部と反対の第１側部ハンドルに固定される第２ケーブルが使用される。そして第２ケーブルの第２端部は対応する第１ケーブルと反対の第２側部ハンドルに固定される。
【００１２】
本発明の別の主要目的は、上述したシステムを使用する三輪車を提供することである。２つの側部ハンドルは三輪車の各側に配置され、各々は実質的に水平な軸線の周りで回動自在であり、かつ各々は同じ位相で揺動すべく、実質的に水平な軸線の周りで回転自在に取り付けられた側部推進アームの上端に配置され、各々は運転者の体に隣接した一方の側にある。
【００１３】
また別の従来技術文献に記載された三輪車では、運転者が自身の脚及び腕に加えた力を伝達する装置は、比較的複雑である。さらに、制御アーム及びペダルに加えた力を伝達するシステムは中央にある、換言すれば、スプロケット軸及び伝達チェーンは運転者の脚の間に位置する。これは競争用三輪車として予見さたが、一般大衆、特に子供に対して販売されるとしたら、安全上の理由から阻止されるべきである。指、あるいは手又は足でさえ中央伝達システムで捕捉され、最終的に運転者を傷つけたりあるいはシステムを損傷させることは極めて容易である。
【００１４】
この場合、三輪車の推進アームが一緒に連結され、その結果、これらのアームが同時且つ同方向に作動して、少なくとも１つの駆動輪にリンクされた連接棒／クランクシステムを作動させることによって、三輪車の推進に寄与する。この時、三輪車は、自身の少なくとも１つの駆動輪を駆動するために、クランク状に曲げられた駆動軸上の、運転者座席の正面に、自身の中心線に位置する単一の牽引ペダルを具備する。
【００１５】
第１変更態様では、クランク状に曲げられた少なくとも１つの駆動輪の軸である。
【００１６】
別の変更態様では、クランク状に曲げられた駆動軸は、駆動チェーンによって、駆動輪のスピンドルに固定された第２歯付輪をそれ自体が駆動する第１歯付輪を駆動する。
【００１７】
被覆が各ケーブルの周りに使用されると有利である。
【００１８】
車輪は安全のためにレンズ形態に構成される。
【００１９】
本発明及びその種々の技術的特徴は、それぞれを示す４つの図面に付随する以下の説明を読めばより良く理解される。
【発明を実施するための最良の形態】
【００２０】
本発明による制御システムを、三輪車に適用して説明する。
【００２１】
図１は、本発明による三輪車、換言すれば、本発明による操舵装置を装備した三輪車の非対称図を示す。
【００２２】
それは、主に、フレーム１、このケースでは２つの前輪である駆動輪２及び自由輪２´、及び操舵輪である１つの後輪３を含む。差動装置を具備する２つの駆動輪を使用することは可能である。シートは後部操舵輪３において、フレーム１に取り付けられる。
【００２３】
三輪車は、シート４上の運転者が単一の推進ペダル５を踏んで２つの側部推進アーム６を作動させることによってなされた、組み合わされた牽引力によって推進される。
【００２４】
推進ペダル５が中心にあり、かつ１つだけであるため、運転者の足及び脚は組み合わされた運動を作り出す。三輪車の推進アーム６が同期された態様及び位相で連結されるので、運転者の腕にも同じことが当てはまる。このタイプの推進は自転車をこぐのに非常に似ている。推進ペダル５は、駆動輪２を直に駆動するクランク軸形態で駆動軸７に設置される。２つの側部推進アーム６は、フレーム１に固定された水平軸線の周りに回動自在に設置され、かつ連接棒１６によって駆動輪２に連結される。
【００２５】
本発明による三輪車の操舵制御は、各々が側部推進アーム６の端部で回動自在に設置された２つのハンドル８によってなされる。こうして、側部推進アーム６が十分に移動すると、運転者は、ハンドル８を動作させることによって、ハンドル８を自身が座っている三輪車を操舵することができる。これらのハンドル８は、間欠送り又はホーンを具備するか又は具備していない、ブレーキ制御、速度変更のような相補制御も装備し得る。
【００２６】
三輪車の操舵を制御するハンドル８の種々の運動は、２つの第１ケーブルによって後部操舵輪３に伝達される。これらのそれぞれの被覆１０によって表され、かつこれらの被覆の各々は２つのハンドル８の一方に第１端部によって固定され、これら被覆の他端は後部操舵輪３が自由に回転するように設置された操舵軸９に固定される。この操舵軸９は、自身が回転できかつ後部操舵輪３が回動できるように、フレームにほぼ直角に設置される。
【００２７】
単一の中央ペダル５を具備する推進装置が、運転者の脚の間に空間を解放することが注目される。更にまた、それは運転者が何れのタイプの靴をも着用可能にする。仏国特許第２６５１７４２号明細書に記載された装置では、ペダルに対する制御ハンドルの接近が安全靴の着用を必要なものとした。さらに、ペダル５はかなり大きく、特に使用者の足、あるいは競走用自転車タイプアタッチメントさえ固定するための医学再教育製品のような特定の装置をこのペダルに取り付けることができる。
【００２８】
したがって、図２は、本発明による操舵装置の原理的な線図を示す。この図は２つの推進アーム６の両端に配置された２つのハンドル８を示す。両方のアームは側部にありかつ互いに対して固定される。この部材に加えて、２つの第１ケーブル１２Ｄ及び１２Ｇと、第２ケーブル１３を含む、３つのケーブルもまた示されている。更にまた、この装置には、３つのプーリー１４Ｄ、１４Ｇ及び１５がある。
【００２９】
実際、２つのハンドル８Ｄ、８Ｇは、各々が２つの第１プーリー１４Ｄ及び１４Ｇにそれぞれ固定される。第１右ケーブル１２Ｄの第１端部は第１右プーリー１４Ｄに固定され、その第２端部は第２プーリー１５に固定される。相応して、第１左ケーブル１２Ｇの第１端部は第１左プーリー１４Ｇに固定され、その第２端部は、第２プーリー１５に、反対方向かつそれに取り付けられる第１右ケーブル１２Ｄの端部に固定される。
【００３０】
２つの第１ケーブル１２Ｄ及び１２Ｇは、それらの対応するプーリー１４Ｄ及び１４Ｇに反対の態様で固定されることに注意されたい。従って、操作者が２つのハンドル８Ｄ及び８Ｇを同じ態様で同時に作動させると、２つのプーリー１４Ｄ又は１４Ｇのうちの１つは、自身に固定されしかも第２プーリー１５を強制的に第１ケーブルの張力の方向に回転させ従って作動させる。引っ張られない、他方の第１ケーブルは第２プーリー１５に何れの作用も及ぼさない。反対に、操作者が反対方向に２つのハンドル８Ｄ及び８Ｇを同時に作動させると、２つのハンドル８Ｄ及び８Ｇのうちの１つが反対方向に移動すると、張力を加えるである第１ケーブル１２Ｄ又は１２Ｇは引っ張られもしないし、ましてや張力付与もされない。他方のケーブルは引っ張られ、かつハンドル８Ｄ及び８Ｇが反対方向に移動する場合に他方の第１ケーブルが張力を加える方向と反対の方向に第２プーリー１５に張力を加える。その後、単に２つのハンドル８Ｄ及び８Ｇを同時に作動させることにより、何れかの方向に第２プーリー１５を配向し得ることは容易に理解し得る。この第２プーリー１５が図１の操舵軸９に固定され、かつ操舵輪である後輪３に作用することに注意されたい。
【００３１】
本発明の１つの非常に重要な特徴は、これらの第１プーリー１４Ｄ及び１４Ｇ上で２つの第１ケーブル１２Ｄ及び１２Ｇの取付位置まで反対の態様で２つの第１プーリー１４Ｄ及び１４Ｇを接続する、第２ケーブル１３の存在である。従って、２つのハンドル８Ｄ及び８Ｇは互いに直に接続される。この影響は、第２ハンドルが自身の第１ケーブル１２Ｇ及び１２Ｄに張力を付与するように作動される時に、２つのハンドル８Ｄ及び８Ｇの第１のものによって操作者が第２ハンドルに加えられた張力を感じるということである。換言すれば、このシステムの使用者は、これらの２つのグリップ８Ｄ及び８Ｇの１つのみを上手く使って第２プーリー１５を回転させる一方で、２つのハンドル８Ｄ及び８Ｇを互いに平行に維持する。この装置構成は幾つかの利点を有する。
【００３２】
第１に、システムが三輪車又は軽車両を案内するために使用される時、この特性は操作者の運動の調整を容易にする。
【００３３】
第２に、極限状況又は事故では、操舵システムが反射コンセプトに応答することは可能であり、従って、操作者の動作に応答する際に絶対的信頼性を提供する。この種の状況では、操作者の反射は車両の操舵を制御し、そしてこれらの反射は２つの手のうちの１つの身振りによって具体的に知覚し得る。換言すれば、反射神経のみが関係するこの種の事故状況では、独立したものである、２つのハンドル８Ｄ及び８Ｇの同時調整を制御するために、本発明による制御システム無しで、操作者が明らかに考えるべきであるとは想像もできない。
【００３４】
２つのハンドル８Ｄ及び８Ｇの運動の調整の別の利点は、２つのハンドル８Ｄ及び８Ｇの同時運動が等価でない時に、２つの第１ケーブル１２Ｄ及び１２Ｇの過度の張力の発生を防ぐことである。これは、２つの第１ケーブル１２Ｄ及び１２Ｇの早期摩耗を回避する。
【００３５】
２つのハンドル８Ｄ及び８Ｇの運動の調整の別の利点は、２つのハンドル８Ｄ及び８Ｇの同時運動が等価でない時に、２つの第１ケーブル１２Ｄ及び１２Ｇの過度の張力の発生を防ぐことである。これは、２つの第１ケーブル１２Ｄ及び１２Ｇの早期摩耗を回避する。２つのハンドル８Ｄ及び８Ｇのピボット振幅と、第２プーリー１５が固定される操舵軸のピボット振幅との間の操縦比を作り出すために、２つの第１プーリー１４Ｄ及び１４Ｇに対して第２プーリー１５用に異なる直径を設け得ることに注意されたい。例えば、第１プーリー１４Ｄ及び１４Ｇが６０ｍｍの直径を有し、第２プーリー１５が４５ｍｍの直径を有する場合、３／４の操舵比である。これは、２つのハンドル８Ｄ及び８Ｇが９０度だけ回転される時に第２プーリー１５が１２０度だけ回転し得ることを意味する。これは、この操舵システムを装備した車両用のよい方策を可能にする
【００３６】
３つのケーブル１２Ｄ、１２Ｇ及び１３を、３つのプーリー１４Ｄ、１４Ｇ及び１５に固定された単一ケーブルの形態にすることも可能である。
【００３７】
ハンドルの装置構成を図３を参照して詳細に説明する。
【００３８】
図面は単一ハンドル８を示す。側部推進アーム６に対して固定された回転軸線１８の周りで回動自在に示されている。これは、側部推進アーム６の端部に堅固に固定された２つの側板１７を使用して行われる。この設定は、ハンドルが堅固に固定される、対応する第１プーリー１４を使用して行われる。単一部品からこれらの２つの部材を作リ得ることが可能でさえある。２つの第１ケーブル１２のうちの一方の１つの端部２２は、プーリー１４、及び第１ケーブルとは反対の第２ケーブル１３の１端部２３に固定される。第１ケーブル１２及び第２ケーブル１３は、各々が被覆１０によって包囲し得るものであり、該被覆の端部は、２つの側板１７及び側部推進アーム６上に固定された被覆の当り部材１９で停止することに注意されたい。これらのケーブル１２及び１３は射出成形された端部部片によってプーリー１４に固定し得る。
【００３９】
図示しないゴム製ベローは有利なことに組立体を保護し得るものであり、かくして操作者の指が捕捉されるのを阻止する標準的且つ安全な態様を含む。
【００４０】
三輪車へのこの操舵システムの適用では、ハンドル８が、相補的なブレーキ制御器、割出し機構を具備するか又は具備しない変速器、及びおそらくはホーンを装備していることに注意されたい。
【００４１】
図４に関して、単数又は複数の駆動輪と直に連結せず、代わりに駆動輪又は２つの駆動輪２の軸線３５から偏倚して配置された駆動クランク軸３１に係合されるようにペダル５を配置することは可能である。この種の駆動クランク軸は伝動チェーン３３を駆動する第１歯付輪３２それ自体を回転させる。この伝動チェーンは、駆動輪すなわち２つの駆動輪２の軸線３５に固定された第２歯付輪３４に巻回される。また、推進アーム６の１つに回動自在に設置した連接棒３６を保持し得るので、第１歯付輪３２は多機能デバイスである。この場合、駆動クランク軸３１及び第１歯付車３２は、駆動輪２を越えて運転手座席の他方側に設置される。これは、特に連接棒３６において、変速機及び運動座標系に自身手を捕捉される運転者の危険を除去する。伝動チェーン３３はベルト又は何れかの変速手段と置き換え、その後、２つの歯付輪３２及び３４をベルト輪と取り替え得る。
【００４２】
駆動輪２がレンズ形態で示されていることに注意されたい。これは、レンズ形態により、これらの指又はこの手が単にこのレンズ形状輪のプレート上を摺動するので、駆動輪２と推進連接棒１６又は３６の間で手又は指が捕捉されることを阻止する。
【００４３】
ペダル５が取り付けられるクランク軸の配向角と、変速機連接棒３６又は１６によって規定される角度との間には偏倚（offset）が設けられなければならないことに注意されたい。
【００４４】
その後、各運動（推進アーム６及び駆動クランク軸７又は３１）の中立点の判断し得る位相差は、装置の全体効率を最適化し得る。
【００４５】
明らかに、変速システムの重量及び力を平衡させるために、三輪車の各側に１つ存在するように、連接棒１６又は３６の数は倍にし得る。
【００４６】
本発明による三輪車の操舵輪は正面又は後部の何れかに設け得る。同様に、単一の駆動輪及び２つの操舵輪を考えることも可能である。この種の推進は、四輪者及び自転車のみならず、水、雪又は氷上で移動しなければならない車両にも適用し得ることに注意されたい。制御システムは、屋内スポーツ用体育館に設置された体操機器のような他の固定された装置にも取り付け得る。本発明による制御システムを動作制御及び医療再教育装置に適合させることも可能である。最後に、固定ゲーム設備はこうした制御システム、特に子供用レジャーパークのための設備から利益を得ることができる。これらの場合には、本発明によるシステムは、設備中の任意の装置の可動部品のための制御システムの形態をして一般化される。
【図面の簡単な説明】
【００４７】
【図１】本発明による三輪車を示す図である。
【図２】本発明による操舵システムの原理を示す線図である。
【図３】本発明によるこの操舵システムで使用されるハンドルを示す図である。
【図４】本発明による三輪車の変形実施形態を示す図である。
【符号の説明】
【００４８】
１  フレーム
２  駆動輪
２´  自由輪
３  後輪（操舵輪）
４  座席
５  推進ペダル
６  推進アーム
７  駆動軸
８  回動ハンドル
８Ｄ、８Ｇ  第１側部ハンドル
９  操舵軸
１０  被覆
１２Ｄ  第１右ケーブル（第１ケーブル）
１２Ｇ  第１左ケーブル（第１ケーブル）
１３  第２ケーブル
１４  プーリー
１４Ｄ  第１右プーリー（第１プーリー）
１４Ｇ  第１左プーリー（第１プーリー）
１５  第２プーリー
１７  側板
１８  回転軸線
１９  当り部材
２２、２３  端部
３１  駆動軸
３２  第１歯付輪
３３  駆動チェーン
３４  第２歯付輪
３５  スピンドル
３６  連接棒
【国際公開パンフレット】
2004521024.tif 000003
2004521024.tif 000004
2004521024.tif 000005
2004521024.tif 000006
2004521024.tif 000007
2004521024.tif 000008
2004521024.tif 000009
2004521024.tif 000010
2004521024.tif 000011
2004521024.tif 000012
2004521024.tif 000013
2004521024.tif 000014
2004521024.tif 000015
2004521024.tif 000016
2004521024.tif 000017
2004521024.tif 000018
2004521024.tif 000019
2004521024.tif 000020
2004521024.tif 000021
2004521024.tif 000022
2004521024.tif 000023
2004521024.tif 000024
2004521024.tif 000025
2004521024.tif 000026
【国際調査報告】
2004521024.tif 000027
2004521024.tif 000028
2004521024.tif 000029
2004521024.tif 000030
2004521024.tif 000031
2004521024.tif 000032